(57)【特許請求の範囲】
【請求項１】
肛門から腸内に挿入できる外側挿入棒と内側挿入棒を装置本体の前端から前方に突出するように設け、前記外側挿入棒が所定の径の円周上を公転しながら自転もできかつ前記内側挿入棒が外側挿入棒の内側に沿って公転しながら自転もできるようにする回転機構を設け、同回転機構を駆動する駆動部を設け、腸内の便に巻き付けることができる大きさの巻き付けシートの一方の辺部分を外側挿入棒に取り付け、他方を内側挿入棒に取り付け、外側挿入棒と内側挿入棒で巻き付けシートを巻き取り、外側挿入棒と内側挿入棒を腸内に挿入し、外側挿入棒と内側挿入棒の自転によって巻き付けシートを展開しながら外側挿入棒と内側挿入棒の公転によって巻き付けシートを便に巻き付けて強制的に排便できるようにした排便装置。
【請求項２】
巻き付けシートの前端の辺部分に前端に沿って摺動できる線材を設け、便に巻き付けて円筒状になった状態の前端開口を線材を後方で引くことで絞るようにした請求項１記載の排便装置。
【請求項３】
回転機構が、ギアの組合せによって外側挿入棒及び内側挿入棒を自転・公転させる構造にした請求項１又は２記載の排便装置。
【請求項４】
回転機構が、外側挿入棒と内側挿入棒との公転方向が逆になる構造にした請求項１〜３いずれかに記載の排便装置。
【請求項５】
巻き付けシートの外側挿入棒及び内側挿入棒への取り付け部分の近傍に外側挿入棒及び内側挿入棒に沿って切れ目を設け、腸内で便に巻き付けシートを巻き付けた後に切れ目で巻き付けシートを分離し、挿入棒を先に体外へ抜き出せるようにした請求項１〜４いずれかに記載の排便装置。
【発明の詳細な説明】
【０００１】
【発明の属する技術分野】
本発明は、宿便や排便できない人の便を強制的に排出する排便装置に関する。
【０００２】
【従来の技術】
従来において、腸内から便を強制的に排出するには処置する人が便を指で掻き出していた。人の指で処置することは、処置される人にとって非常に不快なものであり、また、処置に時間がかかるためつらいものであった。
これに対し、本発明人は破砕刃によって徐々に便を破砕して排出させる排便装置を発明した。人の指で処置を行うのに比べて非常に効率よく排便できるが、さらに効率よく多くの量の便を排出できることが求められていた。
【０００３】
【発明が解決しようとする課題】
本発明が解決しようとする課題は、従来のこれらの問題点を解消し、容易な操作で多くの量の便を一度に排出でき、処置される人が非常に楽になる排便装置を提供することにある。
【０００４】
【課題を解決するための手段】
かかる課題を解決した本発明の構成は、
１）  肛門から腸内に挿入できる外側挿入棒と内側挿入棒を装置本体の前端から前方に突出するように設け、前記外側挿入棒が所定の径の円周上を公転しながら自転もできかつ前記内側挿入棒が外側挿入棒の内側に沿って公転しながら自転もできるようにする回転機構を設け、同回転機構を駆動する駆動部を設け、腸内の便に巻き付けることができる大きさの巻き付けシートの一方の辺部分を外側挿入棒に取り付け、他方を内側挿入棒に取り付け、外側挿入棒と内側挿入棒で巻き付けシートを巻き取り、外側挿入棒と内側挿入棒を腸内に挿入し、外側挿入棒と内側挿入棒の自転によって巻き付けシートを展開しながら外側挿入棒と内側挿入棒の公転によって巻き付けシートを便に巻き付けて強制的に排便できるようにした排便装置
２）  巻き付けシートの前端の辺部分に前端に沿って摺動できる線材を設け、便に巻き付けて円筒状になった状態の前端開口を線材を後方で引くことで絞るようにした前記１）記載の排便装置
３）  回転機構が、ギアの組合せによって外側挿入棒及び内側挿入棒を自転・公転させる構造にした前記１）又は２）記載の排便装置
４）  回転機構が、外側挿入棒と内側挿入棒との公転方向が逆になる構造にした前記１）〜３）いずれかに記載の排便装置
５）  巻き付けシートの外側挿入棒及び内側挿入棒への取り付け部分の近傍に外側挿入棒及び内側挿入棒に沿って切れ目を設け、腸内で便に巻き付けシートを巻き付けた後に切れ目で巻き付けシートを分離し、挿入棒を先に体外へ抜き出せるようにした前記１）〜４）いずれかに記載の排便装置
にある。
【０００５】
【作用】
本発明では、巻き付けシートを取り付けた外側挿入棒と内側挿入棒を肛門から腸内に挿入し、駆動部を作動させる。駆動部を作動させると回転機構が駆動されて、腸内に挿入された外側挿入棒と内側挿入棒が自転・公転する。外側挿入棒と内側挿入棒の自転によって外側挿入棒と内側挿入棒に巻き付けている巻き付けシートを展開し、外側挿入棒と内側挿入棒の公転によって展開した巻き付けシートを便に巻き付けるようにする。その後に巻き付けシートと巻き取った便を一度に体外に排出する。
巻き付けシートの前端の辺部分に前端に沿って摺動できる線材を設けたものは、巻き付けシートを便に巻き付けた状態では巻き付けシートは円筒状になっている。この状態で線材を引くことによってこの円筒状になっている巻き付けシートの前端開口を絞るようにして、便をより強く保持する。
回転機構がギアを組合せた構造にしたものは、ギアのかみ合いによる回転の伝達によって外側挿入棒及び内側挿入棒を自転・公転させる。
回転機構が、外側挿入棒と内側挿入棒との公転方向が逆になる構造にしたものは、外側挿入棒と内側挿入棒に取り付けた巻き付けシートを両回転方向に広げるように便に巻き付けるようにして速く巻き付ける。
巻き付けシートの外側挿入棒及び内側挿入棒への取り付け部分の近傍に外側挿入棒及び内側挿入棒に沿って切れ目を設けたものは、腸内で便に巻き付けシートを巻き付けた後に切れ目で巻き付けシートを分離する。これによって便に巻き付けた巻き付けシートに対して外側挿入棒及び内側挿入棒が自由な状態になるので、先に外側挿入棒及び内側挿入棒を体から取りはずし次に巻き付けシートと便を体から取り出すようにする。
【０００６】
【発明の実施の形態】
腸内に挿入する外側挿入棒及び内側挿入棒、巻き付けシートは人体に影響を与えない材質を用いるのが望ましく、また腸に傷をつけることがない形状にするのが望ましい。
回転機構には、ギアを用いたものや、ベルトを用いたもの、ワイヤーを用いたものなどがあり、コストを抑え確実に外側挿入棒及び内側挿入棒を自転・公転させるものが好ましい。
駆動部には、電動モーターや空気圧モーター、水圧モーターなどがあり、処置が行いやすいよう軽量でコストを抑えられるものが好ましい。
巻き付けシートは、便に巻き付けた際に便が滑らないよう突起や面を粗くしてもよい。その際には絞り紐などの線材を設けないようにしてもよい。
【０００７】
【実施例】
本発明の各実施例について図面を参照して具体的に説明する。
図１〜６に示す実施例は、巻き付けシートの前端の辺部分に前端に沿って摺動できる紐体を設け、回転機構がギアの組合わせによるものであり、巻き付けシートに切れ目を設けた排便装置の例である。
図１は実施例の排便装置の斜視図である。図２は実施例の排便装置の断面図である。図３は図２のＡ−Ａ断面図である。図４は図２のＢ−Ｂ断面図である。図５は実施例の排便装置の使用状態を示す説明図である。図６は実施例の排便装置の使用状態を示す説明図である。
図中、１は排便装置、２は装置本体、２ａは前面板、３は回転盤、３ａは内周ラック部、３ｂは軸受部、３ｃは内穴、４は固定盤、４ａは内周ラック部、４ｂは外周ラック部、５は駆動部として用いた電動モーター、５ａは出力軸、６はピニオン、７はギア、７ａはギアの軸、８はアーム、８ａは軸受部、９は外側挿入棒、９ａはピニオン、１０は内側挿入棒、１０ａはピニオン、１１は巻き付けシート、１１ａは切れ目、１１ｂは折り返し部分、１２は絞り紐、１３はキャップ、３０は肛門、３１は便、ｈは人である。
【０００８】
実施例の排便装置１では、図１に示すように筒状の装置本体２を設け、装置本体前端の開口を塞ぐように円盤状の前面板２ａを設ける。前面板２ａの中央には、装置本体２の内部に貫通する穴を設ける。次に図２に示すように電動モーター５の出力軸５ａが前面板２ａの中央の穴から前方外部に突出するように電動モーター５を装置本体２の内部に設ける。
次に、外周端が前方に向かって突出するよう折曲した皿状の回転盤３を設ける。回転盤３の皿状の底となる中央部分には、内穴３ｃを設け、前方に向かって突出するよう折曲した外周端の内周部分には、環状に歯面を配置した内周ラック部３ａを設ける。また、外周端の外側部分には、軸受部３ｂを設ける。この回転盤３は内穴３ｃに出力軸５ａを貫通させて前面板２ａの前方に配置する。
次に、電動モーター５の出力軸５ａに図２，４に示すようにピニオン６を取り付ける。
次に図２，４に示すように、ピニオン６の外側の円周上の３箇所に軸７ａで回転自在にしたギア７をピニオン６に回転が伝達されるように歯面を係合させて設ける。さらに３箇所に設けたギア７は回転盤３の内周ラック部３ａに歯面と歯面が係合するようにして回転を伝達できるようにする。
【０００９】
次に、外周端が前方に向かって突出するよう折曲した皿状の固定盤４を設ける。さらに、この固定盤４には皿状の底となる中央部に貫通穴を設け、前方に向かって突出するように折曲した外周端の内周部分に環状に歯面を配置した内周ラック部４ａを設け、固定盤４の外周端の外周部分に環状に歯面を配置した外周ラック部４ｂを設ける。次にこの固定盤４を貫通穴に電動モーター５の出力軸５ａが貫通して突出するようにしてピニオン６，ギア７の前方に配置し、ギア７の軸７ａの先端部分に固定盤４を取り付ける。
次に、図１〜３に示すように肛門に挿入できる細い径で所定の長さの外側挿入棒９を設け、この外側挿入棒９の基端近くにピニオン９ａを設ける。次に外側挿入棒９の基端部を回転盤３の軸受部３ｂに回転自在に取り付け、かつ外側挿入棒９のピニオン９ａが固定盤４の外周ラック部４ｂに歯面と歯面が係合するようにする。
次に固定盤４の中央の貫通穴から前方に突出している出力軸５ａの先端に外周方向に伸びるアーム８を取り付ける。アーム８の先端部分には、前後に貫通する穴である軸受部８ａを設ける。
次に図１〜３に示すように肛門に挿入できる細い径で所定の長さの内側挿入棒１０を設け、内側挿入棒１０の基端がアーム８の軸受部８ａを貫通して後方に突出するように回転自在に取り付け、この基端部分にピニオン１０ａを設け、かつこのピニオン１０ａは固定盤４の内周ラック部４ａに歯面と歯面が係合するようにする。
このようにピニオン６，ギア７，回転盤３，回転盤４，アーム８，ピニオン９ａ，１０ａによって回転機構を構成する。
【００１０】
次に、便にほぼ２回巻き付けることができる大きさの矩形の巻き付けシート１１を設け、巻き付けシート１１の両端の一端の辺を外側挿入棒９に取り付け、他端の辺を内側挿入棒１０に取り付ける。さらに巻き付けシート１１の前端の辺を折り返して巻き付けシート１１の前端近くに取り付け、前端の辺に沿って貫通する空間を折り返した内部に有する折り返し部分１１ｂを設ける。さらに巻き付けシート１１の外側挿入棒９への取付部分の近くに外側挿入棒９に沿って切れ目１１ａを設け、巻き付けシート１１の内側挿入棒１０への取付部分の近くに内側挿入棒１０に沿って切れ目１１ａを設ける。
次に、巻き付けシート１１の折り返し部分１１ｂの内部の空間を貫通させるように線材である絞り紐１２を巻き付けシート１１に取り付け、絞り紐１２の一端を内側挿入棒１０の先端に取り付け、もう一端を外側挿入棒９に沿って後方に伸ばすようにする。
また、電動モーター５を制御する図示しない制御部を設け、電動モーターへの通電のＯＮ・ＯＦＦを制御するように配線する。
【００１１】
本実施例の排便装置１を使用するには、まず、外側挿入棒９と内側挿入棒１０をそれぞれ異る所定の方向に回転させて巻き付けシート１１を外側挿入棒９と内側挿入棒１０で巻き取るようにする。その際には外側挿入棒９と内側挿入棒１０の位置が近くになるようにする。
次に、腸内の水分で溶ける水溶性のキャップ１３を外側挿入棒９及び内側挿入棒１０、巻き取った巻き付けシート１１の先端を覆うように取り付ける。
次に、キャップ１３を肛門から腸内に挿入するようにして外側挿入棒９及び内側挿入棒１０、巻き取った巻き付けシート１１を所定の深さまで腸内に挿入する。この際には、外側挿入棒９及び内側挿入棒１０、巻き取った巻き付けシート１１は腸壁と便の間に挿入するようにする。キャップ１３は腸内の水分で溶ける。
次に、電動モーター５を作動させる。すると、電動モーター５の出力軸５ａに取り付けたピニオン６が回転し、ピニオン６に係合させた３つのギア７が回転し、ギア７と内周ラック部３ａの係合によって回転盤３が電動モーター５の出力軸５ａと異る回転方向に回転する。回転盤３が回転することによって回転盤３に取り付けた外側挿入棒９が公転することになる。さらに、外側挿入棒９の基端部分に設けたピニオン９ａは、固定盤４の外周ラック部４ｂに係合しているので、公転することによって電動モーター５の出力軸５ａと異る回転方向に回転する。よって外側挿入棒９は自転する。
また、図３に示すように電動モーター５の出力軸５ａの回転によって、出力軸５ａの先端に取り付けたアーム８が回転する。これにより、アーム８の先端の軸受部８ａに取り付けた内側挿入棒１０が電動モーター５の出力軸５ａと同じ回転方向に公転することになる。
さらに、内側挿入棒１０の基端に設けたピニオン１０ａは固定盤４の内周ラック部４ａに係合させているので、内側挿入棒１０の公転によりピニオン１０ａが電動モーター５の出力軸５ａと異る回転方向に回転する。よって外側挿入棒９は自転する。
【００１２】
外側挿入棒９及び内側挿入棒１０がこのように自転することによって巻き取った巻き取りシート１１を少しずつ送り出し、外側挿入棒９及び内側挿入棒１０の異る回転方向への公転によって、送り出された巻き付けシート１１を便３１に巻き付ける。実施例の排便装置１では、外側挿入棒９及び内側挿入棒１０をそれぞれ異る方向に１回転公転させることによって便を二重に巻き付ける。このように巻き付けシート１１を便３１に巻き付けたならば、電動モーター５の駆動を止める。
次に、肛門から外部に出ている絞り紐１２の一端を引く。絞り紐１２が引かれることにより、円筒状になっている巻き付けシート１１の先端開口部分の円周長さを短くするように引かれて、巻き付けシート１１の円筒状になった先端開口部分が絞られることになる。これによって、巻き付けシート１１を巻き付けた便がさらに腸の奥側に向って連なっている場合に、絞るようにして便を分離させて排出しやすくすることができる。
次に、装置本体２を移動させるようにして外側挿入棒９及び内側挿入棒１０を肛門３０から体外に取り出すよう移動させる。このように外側挿入棒９及び内側挿入棒１０を移動させることにより、巻き付けシート１１を切れ目１１ａで切断し、外側挿入棒９及び内側挿入棒１０と巻き付けシート１１とを分離する。
このようにして外側挿入棒９及び内側挿入棒１０を体外に移動させたならば、体外に出ている部分の巻き付けシート１１を引くようにして、巻き付けシート１１と巻き付けシート１１で包むように保持した便３１を体外に取り出し、必要に応じて再度処置を行うなどし、その後の後処理を行って処置を終了する。
このように本実施例の排便装置１では、非常に簡単な操作によって一度に多量の便を強制的に排出することができ、処置時間を短くすることができ、処置される人が非常に楽になる。
【００１３】
また、絞り紐１２を用いないようにし、ゴムひもを巻き付けシート１１の折り返し部分１１ｂの内部空間を貫通するように通し、ゴムひもの両端を外側挿入棒９と内側挿入棒１０の先端にそれぞれ取り付けてもよい。
このようにすれば、巻き付けシート１１を便に巻き付ける際に、ゴムひもが自然長より長くなるように引っ張った状態で便３１に巻かれるようにし、ゴムひもの弾性によって便に巻き付けた巻き付けシート１１の円筒状の先端開口を絞るようにしてより便を確実に巻き付けシート内に保持し強制的に排便するようにする。
【００１４】
図７，８に示すのは実施例の排便装置の他の例である。
図中、１５は遊星歯車である。
図７に示す実施例の他の例ではピニオン６の回転を１つのギア７で回転盤３に伝達するようにしている。また、図８に示す実施例の他の例では、ギア７を公転可能にし、遊星歯車１５を用いた機構にしている。
このような回転機構を用いるようにしてもよい。
【００１５】
【発明の効果】
本発明によれば、容易な操作で多くの量の便を一度に排出でき、処置される人が非常に楽になる排便装置にできる。
巻き付けシートの前端の辺部分に前端に沿って摺動できる線材を設けたものは、便をより強く保持して確実に排出できるようにし、また巻き付けシートを巻き付けた部分の便とさらに奥の便とを分離してさらに便を確実に排出できるようにする。
回転機構がギアを組合せた構造にしたものは、確実に外側挿入棒及び内側挿入棒に自転公転させて便を巻き取る動きを行うことができる。
回転機構が外側挿入棒と内側挿入棒との公転方向が逆になる構造にしたものは、より効率よく短い時間で便に巻き付けシートを巻き付けて処置時間をさらに短くし、さらに処置される人を楽にすることができる。
巻き付けシートの外側挿入棒及び内側挿入棒への取り付け部分の近傍に外側挿入棒及び内側挿入棒に沿って切れ目を設けたものは、よりスムーズに処置が行えるようにして、さらに処置される人を楽にすることができる。
【図面の簡単な説明】
【図１】実施例の排便装置の斜視図である。
【図２】実施例の排便装置の断面図である。
【図３】図２のＡ−Ａ断面図である。
【図４】図２のＢ−Ｂ断面図である。
【図５】実施例の排便装置の使用状態を示す説明図である。
【図６】実施例の排便装置の使用状態を示す説明図である。
【図７】実施例の排便装置の他の例の説明図である。
【図８】実施例の排便装置の他の例の説明図である。
【符号の説明】
１  排便装置
２  装置本体
２ａ  前面板
３  回転盤
３ａ  内周ラック部
３ｂ  軸受部
３ｃ  内穴
４  固定盤
４ａ  内周ラック部
４ｂ  外周ラック部
５  電動モーター
５ａ  出力軸
６  ピニオン
７  ギア
７ａ  （ギアの）軸
８  アーム
８ａ  軸受部
９  外側挿入棒
９ａ  ピニオン
１０  内側挿入棒
１０ａ  ピニオン
１１  巻き付けシート
１１ａ  切れ目
１１ｂ  折り返し部分
１２  絞り紐
１３  キャップ
１５  遊星歯車
３０  肛門
３１  便
ｈ  人
【図１】
0004587349.tif 000002
【図２】
0004587349.tif 000003
【図３】
0004587349.tif 000004
【図４】
0004587349.tif 000005
【図５】
0004587349.tif 000006
【図６】
0004587349.tif 000007
【図７】
0004587349.tif 000008
【図８】
0004587349.tif 000009